(57)【要約】【課題】相を識別する色別ラベルと温度上昇値を測定する示温ラベルを貼り付けるスペースを確保し、作業工数の削減を図る。【解決手段】箱体１内に設けられた主回路部材となる主回路導体２ａ、２ｂ、２ｃと、主回路導体２ａ、２ｂ、２ｃの表面に設けられた三相の相を識別する色別ラベル４ａ、４ｂ、４ｃと、この色別ラベル４ａ、４ｂ、４ｃに貼り付けられた所定温度で発光基材が変色し温度上昇値の測定ができる示温ラベル５ａ、５ｂ、５ｃとを備えている。色別ラベル４ａ、４ｂ、４ｃは、三相で形状が異なることがある。【選択図】  図１
2012231575.tif 000002
【特許請求の範囲】
【請求項１】
箱体内に設けられた主回路部材と、
前記主回路部材の表面に設けられた相を識別する色別ラベルと、
前記色別ラベルに貼り付けられた温度上昇値を測定する示温ラベルと
を備えた金属閉鎖形スイッチギヤの相識別装置。
【請求項２】
前記示温ラベルを複数とし、それぞれ変色する温度が異なる請求項１に記載の金属閉鎖形スイッチギヤの相識別装置。
【請求項３】
前記示温ラベルを不可逆タイプとした請求項１または請求項２に記載の金属閉鎖形スイッチギヤの相識別装置。
【請求項４】
前記示温ラベルが変色する温度を前記主回路部材の許容温度値とした請求項１乃至請求項３のいずれか１項に記載の金属閉鎖形スイッチギヤの相識別装置。
【請求項５】
前記主回路部材の接続部に前記示温ラベル付きの前記色別ラベルを設けた請求項１乃至請求項４のいずれか１項に記載の金属閉鎖形スイッチギヤの相識別装置。
【発明の詳細な説明】
【技術分野】
【０００１】
本発明の実施形態は、収納機器や主回路導体に設けられた相や極性を識別する金属閉鎖形スイッチギヤの相識別装置に関する。
【背景技術】
【０００２】
従来、金属閉鎖形スイッチギヤの主回路導体には、三相回路の相を識別するため、色別ラベルが貼り付けられている。例えば、第１相に赤色、第２相に白色、第３相に青色のラベルが貼られている。ラベルの形状は、第１相では円形状、第２相では三角形状、第３相では四角形状と各相で異なる場合がある（例えば、特許文献１参照。）。
【０００３】
また、客先要求から、通電時の主回路導体の温度上昇を測定するため、所定温度によって変色する示温ラベルを貼り付けることがある。示温ラベルは、直接、導体表面に貼り付けられる。
【０００４】
これらのことより、主回路導体には、色別ラベルと示温ラベルの両方が貼り付けられるので、主回路導体にそのスペースを確保しなければならなかった。小容量の主回路導体では、表面積が小さく、スペースの確保が困難となる場合があった。また、作業工数を増加させる要因になっていた。
【先行技術文献】
【特許文献】
【０００５】
【特許文献１】実開平２−６０４１０号公報
【発明の概要】
【発明が解決しようとする課題】
【０００６】
本発明が解決しようとする課題は、主回路導体に貼り付ける相を識別する色別ラベルと温度上昇を測定する示温ラベルの両方を貼り付けるスペースの確保が容易となり、作業工数の削減が図れる金属閉鎖形スイッチギヤの相識別装置を提供することにある。
【課題を解決するための手段】
【０００７】
上記課題を解決するために、実施形態の金属閉鎖形スイッチギヤの相識別装置は、箱体内に設けられた主回路部材と、前記主回路部材の表面に設けられた相を識別する色別ラベルと、前記色別ラベルに貼り付けられた温度上昇値を測定する示温ラベルとを備える。
【図面の簡単な説明】
【０００８】
【図１】本発明の実施例１に係る金属閉鎖形スイッチギヤの構成を背面から見た図。
【図２】本発明の実施例２に係る金属閉鎖形スイッチギヤの相識別装置の構成を示す正面図。
【図３】本発明の実施例３に係る金属閉鎖形スイッチギヤの主回路導体部分を示す側面図。
【図４】本発明の実施例３に係る金属閉鎖形スイッチギヤの主回路導体部分を示す側面図。
【発明を実施するための形態】
【０００９】
以下、図面を参照して本発明の実施例を説明する。
【実施例１】
【００１０】
先ず、本発明の実施例１に係る金属閉鎖形スイッチギヤの相識別装置を図１を参照して説明する。図１は、本発明の実施例１に係る金属閉鎖形スイッチギヤの構成を背面から見た図である。
【００１１】
図１に示すように、箱体１の背面側には、図示しない遮断器などに接続される三相の主回路導体２ａ、２ｂ、２ｃが設けられている。主回路導体２ａ、２ｂ、２ｃには、それぞれ二点鎖線で示す電力ケーブル３ａ、３ｂ、３ｃが接続される。
【００１２】
第１相の主回路導体２ａの表面には、赤色で円形状の第１の色別ラベル４ａが設けられ、第１の色別ラベル４ａの略中心部に所定温度で発光基材が変色する第１の示温ラベル５ａが設けられている。第２相の主回路導体２ｂの表面にも、白色で三角形状の第２の色別ラベル４ｂが設けられ、第２の色別ラベル４ｂの略中心部に所定温度で変色する第２の示温ラベル５ｂが設けられている。第３相の主回路導体２ｃの表面にも、青色で四角形状の第３の色別ラベル４ｃが設けられ、第３の色別ラベル４ｃの略中心部に所定温度で変色する第３の示温ラベル５ｃが設けられている。
【００１３】
色別ラベル４ａ、４ｂ、４ｃの色は、電力会社の規定に準じるものとする。また、示温ラベル５ａ、５ｂ、５ｃが変色を起こす温度は、三相で同様とする。なお、示温ラベル５ａ、５ｂ、５ｃと同様に、色別ラベル４ａ、４ｂ、４ｃも温度上昇を起こすので、色別ラベル４ａ、４ｂ、４ｃは変色を起こさず、その接着剤は温度上昇に耐え得るものとする。なお、所定の色を有するテープを巻き付けてもよい。
【００１４】
示温ラベル５ａ、５ｂ、５ｃは、温度上昇が起こり、変色した後に元に戻らない不可逆タイプ、元に戻る可逆タイプがある。不可逆タイプでは、温度上昇の最大値を容易に測定することができる。
【００１５】
直流回路では、極性別に所定色の色別ラベルを設け、色別ラベルに所定温度で変色する示温ラベルを貼り付けるものとする。
【００１６】
上記実施例１の金属閉鎖形スイッチギヤの相識別装置によれば、示温ラベル５ａ、５ｂ、５ｃを色別ラベル４ａ、４ｂ、４ｃに貼っておき、これを主回路導体２ａ、２ｂ、２ｃに設けているので、箱体１内での作業工数が削減でき、主回路導体２ａ、２ｂ、２ｃ表面のスペースの確保が容易となる。
【００１７】
上記実施例１では、示温ラベル５ａ、５ｂ、５ｃを貼った色別ラベル４ａ、４ｂ、４ｃを主回路導体２ａ、２ｂ、２ｃに設けたが、遮断器のような収納機器の主回路に設けることができる。ここでは、これらをまとめて主回路部材と称する。
【実施例２】
【００１８】
次に、本発明の実施例２に係る金属閉鎖形スイッチギヤの相識別装置を図２を参照して説明する。図２は、本発明の実施例２に係る金属閉鎖形スイッチギヤの相識別装置の構成を示す正面図である。なお、この実施例２が実施例１と異なる点は、示温ラベルを複数としたことである。図２において、実施例１と同様の構成部分においては、同一符号を付し、その詳細な説明を省略する。色別ラベルは、円形状の第１相を用いて説明する。
【００１９】
図２に示すように、色別ラベル４ａには、それぞれ異なる所定温度で変色する複数の示温ラベル６ａ、６ｂ、６ｃを貼り付けている。なお、示温ラベル６ａ（６ｂ、６ｃ）が変色する温度の最大値を金属閉鎖形スイッチギヤの許容温度、例えば錫めっき導体の接続部では１０５℃にすると、温度上昇を管理することができる。即ち、変色する温度を測定したい部位、例えば主回路部材の許容温度値に設定しておけば、この部材の温度管理を行うことができる。
【００２０】
上記実施例２の金属閉鎖形スイッチギヤの相識別装置によれば、実施例１による効果のほかに、温度上昇値を細かく測定することができる。
【実施例３】
【００２１】
次に、本発明の実施例３に係る金属閉鎖形スイッチギヤの相識別装置を図３、図４を参照して説明する。図３、図４は、本発明の実施例３に係る金属閉鎖形スイッチギヤの主回路導体部分を示す側面図である。なお、この実施例３が実施例１と異なる点は、色別ラベルを設ける位置である。図３、図４において、実施例１と同様の構成部分においては、同一符号を付し、その詳細な説明を省略する。
【００２２】
図３に示すように、主回路導体７ａ、７ｂをボルト８で接続した近傍、所謂、主回路導体７ａ、７ｂの接続部には、示温ラベル９を貼った色別ラベル１０を設けている。接続部は、温度上昇を起こし易く、また、比較的に目視し難い部分に位置することが多いので、不可逆タイプの示温ラベル９を設けることにより、点検時などに温度上昇値を確認することができる。
【００２３】
また、図４に示すように、例えば遮断器側の主回路導体１１ａと盤側の主回路導体１１ｂが接触子１２で接続される接続部には、示温ラベル９を貼った色別ラベル１０を設けている。この接続部も温度上昇を起こし易い部分である。
【００２４】
上記実施例３の金属閉鎖形スイッチギヤの相識別装置によれば、実施例１による効果のほかに、温度上昇を起こし易い接続部の温度上昇値を測定することができる。
【００２５】
以上述べたような実施形態によれば、色別ラベルと示温ラベルを貼り付けるスペースの確保ができ、作業工数を削減することができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１  箱体
２ａ、２ｂ、２ｃ、７ａ、７ｂ、１１ａ、１１ｂ  主回路導体
３ａ、３ｂ、３ｃ  電力ケーブル
４ａ、４ｂ、４ｃ、１０  色別ラベル
５ａ、５ｂ、５ｃ、６ａ、６ｂ、６ｃ、９  示温ラベル
８  ボルト
１２  接触子
【図１】
2012231575.tif 000003
【図２】
2012231575.tif 000004
【図３】
2012231575.tif 000005
【図４】
2012231575.tif 000006